【手続補正書】
【提出日】平成21年12月8日(2009.12.8)
【手続補正１】
【補正対象書類名】特許請求の範囲
【補正対象項目名】全文
【補正方法】変更
【補正の内容】
【特許請求の範囲】
【請求項１】
所定の閲覧文書が表示されているコンピュータから検索キーワードとして送信された第一の文字列に基づく検索を行うための情報検索装置に、
前記閲覧文書の識別情報に基づいて、当該閲覧文書の検索のためのインデックス情報として用いられる文字又は文字列を第二の文字列として取得するインデックス情報取得手順と、
前記コンピュータから受信した前記第一の文字列と、前記第二の文字列とに基づいて検索を実行させる検索制御手順と、
前記検索制御手順における検索結果を前記コンピュータに送信する送信手順とを実行させるための情報検索プログラム。
【請求項２】
複数の前記第二の文字列の中において、前記第一の文字列との関連性が相対的に高い文字又は文字列を第三の文字列として抽出する抽出手順を前記情報検索装置に実行させ、
前記検索制御手順は、前記第一の文字列と前記第三の文字列とに基づいて検索を実行させる手順であることを特徴とする請求項１記載の情報検索プログラム。
【請求項３】
少なくとも前記第二の文字列に基づいて広告コンテンツを検索させる広告コンテンツ検索手順を前記情報検索装置に実行させ、
前記送信手順は、前記検索結果と共に表示させるために前記広告コンテンツを前記コンピュータに送信する手順であることを特徴とする請求項１又は２記載の情報検索プログラム。
【請求項４】
少なくとも前記第三の文字列に基づいて広告コンテンツを検索させる広告コンテンツ検索手順を前記情報検索装置に実行させ、
前記送信手順は、前記検索結果と共に表示させるために前記広告コンテンツを前記コンピュータに送信する手順であることを特徴とする請求項２記載の情報検索プログラム。
【請求項５】
前記インデックス情報取得手順において取得された前記第二の文字列をユーザごとに蓄積させる蓄積手順と、
少なくとも前記蓄積手順において蓄積された前記第二の文字列のうち前記第一の文字列を前記コンピュータに入力したユーザに係る前記第二の文字列に基づいて広告コンテンツを検索させる広告コンテンツ検索手順とを前記情報検索装置に実行させ、
前記送信手順は、前記検索結果と共に表示させるために前記広告コンテンツを前記コンピュータに送信する手順であることを特徴とする請求項１又は２記載の情報検索プログラム。
【請求項６】
前記抽出手順において抽出された前記第三の文字列をユーザごとに蓄積させる蓄積手順と、
少なくとも前記蓄積手順において蓄積された前記第三の文字列のうち前記第一の文字列を前記コンピュータに入力したユーザに係る前記第三の文字列に基づいて広告コンテンツを検索させる広告コンテンツ検索手順とを前記情報検索装置に実行させ、
前記送信手順は、前記検索結果と共に表示させるために前記広告コンテンツを前記コンピュータに送信する手順であることを特徴とする請求項２記載の情報検索プログラム。
【請求項７】
前記第一の文字列は、前記閲覧文書と共に前記コンピュータで表示されているＧＵＩ部品に入力された文字列であることを特徴とする請求項１乃至６いずれか一項記載の情報検索プログラム。
【請求項８】
前記第一の文字列は、前記コンピュータで表示されている前記閲覧文書上に表示されるカーソルによって、当該閲覧文書の中から選択された文字列であることを特徴とする請求項１乃至６いずれか一項記載の情報検索プログラム。
【請求項９】
前記インデックス情報は、前記閲覧文書の中から抽出された文字又は文字列であることを特徴とする請求項１乃至８いずれか一項記載の情報検索プログラム。
【請求項１０】
所定の閲覧文書が表示されているコンピュータから検索キーワードとして送信された第一の文字列に基づく検索を行うための情報検索装置であって、
前記閲覧文書の識別情報に基づいて、当該閲覧文書の検索のためのインデックス情報として用いられる文字又は文字列を第二の文字列として取得するインデックス情報取得手段と、
前記コンピュータから受信した前記第一の文字列と、前記第二の文字列とに基づいて検索を実行させる検索制御手段と、
前記検索手段による検索結果を前記コンピュータに送信する送信手段とを有することを特徴とする情報検索装置。
【請求項１１】
複数の前記第二の文字列の中において、前記第一の文字列との関連性が相対的に高い文字又は文字列を第三の文字列として抽出する文字列抽出手段を有し、
前記検索制御手段は、前記第一の文字列と前記第三の文字列とに基づいて検索を実行させることを特徴とする請求項１０記載の情報検索装置。
【請求項１２】
少なくとも前記第二の文字列に基づいて広告コンテンツを検索させる広告コンテンツ検索手段を有し、
前記送信手段は、前記検索結果と共に表示させるために前記広告コンテンツを前記コンピュータに送信することを特徴とする請求項１０又は１１記載の情報検索装置。
【請求項１３】
少なくとも前記第三の文字列に基づいて広告コンテンツを検索させる広告コンテンツ検索手段を有し、
前記送信手段は、前記検索結果と共に表示させるために前記広告コンテンツを前記コンピュータに送信することを特徴とする請求項１１記載の情報検索装置。
【請求項１４】
前記インデックス情報取得手段によって取得された前記第二の文字列をユーザごとに蓄積させるユーザキーワード蓄積手段と、
少なくとも前記ユーザキーワード蓄積手段によって蓄積された前記第二の文字列のうち前記第一の文字列を前記コンピュータに入力したユーザに係る前記第二の文字列に基づいて広告コンテンツを検索させる広告コンテンツ検索手段とを有し、
前記送信手段は、前記検索結果と共に表示させるために前記広告コンテンツを前記コンピュータに送信することを特徴とする請求項１０又は１１記載の情報検索装置。
【請求項１５】
前記文字列抽出手段によって抽出された前記第三の文字列をユーザごとに蓄積させるユーザキーワード蓄積手段と、
少なくとも前記ユーザキーワード蓄積手段によって蓄積された前記第三の文字列のうち前記第一の文字列を前記コンピュータに入力したユーザに係る前記第三の文字列に基づいて広告コンテンツを検索させる広告コンテンツ検索手段とを有し、
前記送信手段は、前記検索結果と共に表示させるために前記広告コンテンツを前記コンピュータに送信することを特徴とする請求項１１記載の情報検索装置。
【請求項１６】
前記第一の文字列は、前記閲覧文書と共に前記コンピュータで表示されているＧＵＩ部品に入力された文字列であることを特徴とする請求項１０乃至１５いずれか一項記載の情報検索装置。
【請求項１７】
前記第一の文字列は、前記コンピュータで表示されている前記閲覧文書上に表示されるカーソルによって、当該閲覧文書の中から選択された文字列であることを特徴とする請求項１０乃至１５いずれか一項記載の情報検索装置。
【請求項１８】
前記インデックス情報は、前記閲覧文書の中から抽出された文字又は文字列であることを特徴とする請求項１０乃至１７いずれか一項記載の情報検索装置。
【請求項１９】
前記インデックス情報取得手段は、Ｗｅｂ上の検索サイト若しくはその他のＷｅｂサイト、又は当該情報検索装置若しくは当該情報検索装置とイントラネットを介して接続される装置より前記インデックス情報を取得することを特徴とする請求項１０乃至１８いずれか一項記載の情報検索装置。
【手続補正２】
【補正対象書類名】明細書
【補正対象項目名】発明の名称
【補正方法】変更
【補正の内容】
【発明の名称】情報検索プログラム及び情報検索装置
【手続補正３】
【補正対象書類名】明細書
【補正対象項目名】０００１
【補正方法】変更
【補正の内容】
【０００１】
本発明は、情報検索プログラム及び情報検索装置に関し、特に閲覧中の文書に基づく情報検索プログラム及び情報検索装置に関する。
【手続補正４】
【補正対象書類名】明細書
【補正対象項目名】０００９
【補正方法】変更
【補正の内容】
【０００９】
本発明は、上記の点に鑑みてなされたものであって、簡便な操作によって閲覧中の情報に関連する文字列に基づく検索を適切に実行させることのできる情報検索プログラム及び情報検索装置の提供を目的とする。
【手続補正５】
【補正対象書類名】明細書
【補正対象項目名】００１０
【補正方法】変更
【補正の内容】
【００１０】
そこで上記課題を解決するため、本発明は、所定の閲覧文書が表示されているコンピュータから検索キーワードとして送信された第一の文字列に基づく検索を行うための情報検索装置に、前記閲覧文書の識別情報に基づいて、当該閲覧文書の検索のためのインデックス情報として用いられる文字又は文字列を第二の文字列として取得するインデックス情報取得手順と、前記コンピュータから受信した前記第一の文字列と、前記第二の文字列とに基づいて検索を実行させる検索制御手順と、前記検索制御手順における検索結果を前記コンピュータに送信する送信手順とを実行させるための情報検索プログラムとして構成される。
【手続補正６】
【補正対象書類名】明細書
【補正対象項目名】００１１
【補正方法】変更
【補正の内容】
【００１１】
このような情報検索プログラムでは、簡便な操作によって閲覧中の情報関連する文字列に基づく検索を適切に実行させることができる。
【手続補正７】
【補正対象書類名】明細書
【補正対象項目名】００１２
【補正方法】変更
【補正の内容】
【００１２】
また、上記課題を解決するため、本発明は、上記情報検索プログラムによって上記各手順を実行する情報検索装置としてもよい。
【手続補正８】
【補正対象書類名】明細書
【補正対象項目名】００１３
【補正方法】変更
【補正の内容】
【００１３】
本発明によれば、簡便な操作によって閲覧中の情報関連する文字列に基づく検索を適切に実行させることのできる情報検索プログラム及び情報検索装置を提供することができる。